(57)【要約】      （修正有）【課題】変倍比１０倍程度の高変倍化と、短焦点距離端の画角が７０°以上の広角化とを達成するとともに、レンズ全系がコンパクトでありながら、良好な光学性能を有するズームレンズ系を提供する。【解決手段】正の第１レンズ群Ｇ１と、負の第２レンズ群Ｇ２と、正の第３レンズ群Ｇ３と、正の屈折力の第４レンズ群Ｇ４とからなり、ワイド端からテレ端への変倍に際し、少なくとも第１レンズ群と第３レンズ群が光軸方向に移動し、第１レンズ群の移動量が第３レンズ群の移動量よりも大きく、次の条件式（１）及び（２）を満足する。（１）１．０＜Ｚ１／Ｚ３＜１．８（２）１．４＜ｆＴ／ｆ１＜２．０、Ｚ１：ワイド端からテレ端への変倍に際する第１レンズ群の移動量、Ｚ３：ワイド端からテレ端への変倍に際する第３レンズ群の移動量、ｆＴ：テレ端における全系の焦点距離、ｆ１：第１レンズ群の焦点距離。【選択図】図１
2014235388.tif 000002
【特許請求の範囲】
【請求項１】
物体側から順に、正の屈折力の第１レンズ群と、負の屈折力の第２レンズ群と、正の屈折力の第３レンズ群と、正の屈折力の第４レンズ群とからなり、
短焦点距離端から長焦点距離端への変倍に際し、少なくとも第１レンズ群と第３レンズ群が光軸方向に移動し、第１レンズ群の移動量が第３レンズ群の移動量よりも大きく、
次の条件式（１）及び（２）を満足することを特徴とするズームレンズ系。
（１）１．０＜Ｚ１／Ｚ３＜１．８
（２）１．４＜ｆＴ／ｆ１＜２．０
但し、
Ｚ１：短焦点距離端から長焦点距離端への変倍に際する第１レンズ群の移動量、
Ｚ３：短焦点距離端から長焦点距離端への変倍に際する第３レンズ群の移動量、
ｆＴ：長焦点距離端における全系の焦点距離、
ｆ１：第１レンズ群の焦点距離。
【請求項２】
請求項１記載のズームレンズ系において、次の条件式（３）を満足するズームレンズ系。
（３）０．１＜Ｄ１／ｆ１＜０．２
但し、
Ｄ１：第１レンズ群の群厚、
ｆ１：第１レンズ群の焦点距離。
【請求項３】
請求項１または２記載のズームレンズ系において、第３レンズ群は、少なくとも１枚の正レンズを有しており、次の条件式（４）を満足するズームレンズ系。
（４）０．５＜Ｄ３Ｐ／ｆ３Ｐ＜２．０
但し、
Ｄ３Ｐ：第３レンズ群中の正レンズのうち最も物体側の正レンズの厚み、
ｆ３Ｐ：第３レンズ群中の正レンズのうち最も物体側の正レンズの焦点距離。
【請求項４】
請求項１ないし３のいずれか１項記載のズームレンズ系において、短焦点距離端から長焦点距離端への変倍に際し、第２レンズ群と第３レンズ群の間隔が減少し、第３レンズ群と第４レンズ群の間隔が増大し、次の条件式（５）を満足するズームレンズ系。
（５）２．５＜Ｍ３Ｔ／Ｍ３Ｗ＜４．０
但し、
Ｍ３Ｔ：長焦点距離端における無限遠合焦時の第３レンズ群の横倍率、
Ｍ３Ｗ：短焦点距離端における無限遠合焦時の第３レンズ群の横倍率。
【請求項５】
請求項１ないし４のいずれか１項記載のズームレンズ系において、第３レンズ群は、少なくとも１枚の正レンズと、少なくとも１枚の負レンズを有しており、次の条件式（６）を満足するズームレンズ系。
（６）１０．０＜｜νｄ３Ｐ−νｄ３Ｎ｜＜１５．５
但し、
νｄ３Ｐ：第３レンズ群中の正レンズのうち最も物体側の正レンズのｄ線に対するアッベ数、
νｄ３Ｎ：第３レンズ群中の負レンズのうち最も像側の負レンズのｄ線に対するアッベ数。
【請求項６】
請求項１ないし５のいずれか１項記載のズームレンズ系において、第１レンズ群は、その少なくとも１面が非球面の正レンズを有しているズームレンズ系。
【請求項７】
請求項１ないし６のいずれか１項記載のズームレンズ系において、第４レンズ群は、その少なくとも１面が非球面の正単レンズからなり、この正単レンズは、無限遠物体から近距離物体へのフォーカシング時に物体側に移動するフォーカスレンズであるズームレンズ系。
【請求項８】
請求項１ないし７のいずれか１項記載のズームレンズ系において、第３レンズ群は、物体側から順に、物体側から順に位置する正レンズと負レンズの接合レンズと、その少なくとも１面が非球面の正レンズとの３枚のレンズからなるズームレンズ系。
【請求項９】
請求項８記載のズームレンズ系において、第３レンズ群中の最も物体側に位置する正レンズは、その物体側の面が非球面であるズームレンズ系。
【請求項１０】
請求項１ないし７のいずれか１項記載のズームレンズ系において、第３レンズ群は、物体側から順に、正レンズと、物体側から順に位置する正レンズと負レンズの接合レンズと、正レンズとの４枚のレンズからなるズームレンズ系。
【発明の詳細な説明】
【技術分野】
【０００１】
本発明は、ズームレンズ系に関する。
【背景技術】
【０００２】
近年、コンパクトデジタルカメラにおいて、変倍比１０倍程度の高変倍化と、短焦点距離端の画角が７０°以上の広角化とを達成したズームレンズ系のニーズが高まっている。主にコンパクトデジタルカメラ用の撮像レンズは、収納状態で各レンズ群の空気間隔を短縮したいわゆる多段鏡筒を用いた沈胴機構を採用しカメラの薄型化を図るものが多い。このような沈胴機構に適したレンズタイプとしては、各レンズ群の群厚を薄くし、前玉径を小さくし、変倍全域（特に長焦点距離端と短焦点距離端）に亘ってレンズ全長を短くすることで、レンズ全系をコンパクトにしたものが好ましい。
【０００３】
特許文献１〜４には、比較的少ないレンズ枚数で１０倍程度の変倍比を狙ったズームレンズ系として、物体側から順に、正の屈折力の第１レンズ群と、負の屈折力の第２レンズ群と、正の屈折力の第３レンズ群と、正の屈折力の第４レンズ群とからなり、短焦点距離端から長焦点距離端への変倍に際し、少なくとも第１レンズ群と第３レンズ群が光軸方向に移動する（繰り出される）ものが開示されている。
【０００４】
しかし、特許文献１のズームレンズ系は、短焦点距離端の画角が６０°程度しかなく、広角化が不十分である。また、長焦点距離端のレンズ全長が長いため、レンズ全系が大型化してしまう。
【０００５】
特許文献２のズームレンズ系は、短焦点距離端の画角が７０°程度とある程度の広角化を達成している。しかし、長焦点距離端のレンズ全長が長く、第２レンズ群の群厚が厚く、前玉径が大きいため、レンズ全系が大型化してしまう。
【０００６】
特許文献３、４のズームレンズ系は、長焦点距離端のレンズ全長が短く、短焦点距離端の画角が７０°程度とある程度の広角化を達成している。しかし、第１レンズ群と第２レンズ群の群厚が厚く、前玉径が大きいため、レンズ全系が大型化してしまう。
【先行技術文献】
【特許文献】
【０００７】
【特許文献１】特開２０１２−２７５０７号公報
【特許文献２】特開２０１１−１０７３１１号公報
【特許文献３】特開２０１１−１１８３６６号公報
【特許文献４】特開２０１１−１２８２２９号公報
【発明の概要】
【発明が解決しようとする課題】
【０００８】
本発明は、以上の問題意識に基づいてなされたものであり、変倍比１０倍程度の高変倍化と、短焦点距離端の画角が７０°以上の広角化とを達成するとともに、レンズ全系がコンパクトでありながら、良好な光学性能を有するズームレンズ系を得ることを目的とする。
【課題を解決するための手段】
【０００９】
本発明のズームレンズ系は、物体側から順に、正の屈折力の第１レンズ群と、負の屈折力の第２レンズ群と、正の屈折力の第３レンズ群と、正の屈折力の第４レンズ群とからなり、短焦点距離端から長焦点距離端への変倍に際し、少なくとも第１レンズ群と第３レンズ群が光軸方向に移動し、第１レンズ群の移動量が第３レンズ群の移動量よりも大きく、次の条件式（１）及び（２）を満足することを特徴としている。
（１）１．０＜Ｚ１／Ｚ３＜１．８
（２）１．４＜ｆＴ／ｆ１＜２．０
但し、
Ｚ１：短焦点距離端から長焦点距離端への変倍に際する第１レンズ群の移動量、
Ｚ３：短焦点距離端から長焦点距離端への変倍に際する第３レンズ群の移動量、
ｆＴ：長焦点距離端における全系の焦点距離、
ｆ１：第１レンズ群の焦点距離、
である。
【００１０】
本発明のズームレンズ系は、さらに次の条件式（３）を満足することが好ましい。
（３）０．１＜Ｄ１／ｆ１＜０．２
但し、
Ｄ１：第１レンズ群の群厚（第１レンズ群の最も物体側の面から最も像側の面までの光軸上の距離）、
ｆ１：第１レンズ群の焦点距離、
である。
【００１１】
本発明のズームレンズ系は、第３レンズ群が、少なくとも１枚の正レンズを有しており、次の条件式（４）を満足することが好ましい。
（４）０．５＜Ｄ３Ｐ／ｆ３Ｐ＜２．０
但し、
Ｄ３Ｐ：第３レンズ群中の正レンズのうち最も物体側の正レンズの厚み（該正レンズの最も物体側の面から最も像側の面までの光軸上の距離）、
ｆ３Ｐ：第３レンズ群中の正レンズのうち最も物体側の正レンズの焦点距離、
である。
【００１２】
本発明のズームレンズ系は、短焦点距離端から長焦点距離端への変倍に際し、第２レンズ群と第３レンズ群の間隔が減少し、第３レンズ群と第４レンズ群の間隔が増大し、次の条件式（５）を満足することが好ましい。
（５）２．５＜Ｍ３Ｔ／Ｍ３Ｗ＜４．０
但し、
Ｍ３Ｔ：長焦点距離端における無限遠合焦時の第３レンズ群の横倍率、
Ｍ３Ｗ：短焦点距離端における無限遠合焦時の第３レンズ群の横倍率、
である。
【００１３】
本発明のズームレンズ系は、第３レンズ群が、少なくとも１枚の正レンズと、少なくとも１枚の負レンズを有しており、次の条件式（６）を満足することが好ましい。
（６）１０．０＜｜νｄ３Ｐ−νｄ３Ｎ｜＜１５．５
但し、
νｄ３Ｐ：第３レンズ群中の正レンズのうち最も物体側の正レンズのｄ線に対するアッベ数、
νｄ３Ｎ：第３レンズ群中の負レンズのうち最も像側の負レンズのｄ線に対するアッベ数、
である。
【００１４】
第１レンズ群は、その少なくとも１面が非球面の正レンズを有することが好ましい。
【００１５】
第４レンズ群は、その少なくとも１面が非球面の正単レンズからなり、この正単レンズは、無限遠物体から近距離物体へのフォーカシング時に物体側に移動するフォーカスレンズであることが好ましい。
【００１６】
第３レンズ群は、物体側から順に、物体側から順に位置する正レンズと負レンズの接合レンズと、その少なくとも１面が非球面の正レンズとの３枚のレンズから構成することができる。この場合、第３レンズ群中の最も物体側に位置する正レンズは、その物体側の面を非球面とすることが好ましい。
【００１７】
あるいは、第３レンズ群は、物体側から順に、正レンズと、物体側から順に位置する正レンズと負レンズの接合レンズと、正レンズとの４枚のレンズから構成することもできる。
【発明の効果】
【００１８】
本発明によれば、変倍比１０倍程度の高変倍化と、短焦点距離端の画角が７０°以上の広角化とを達成するとともに、レンズ全系がコンパクトでありながら、良好な光学性能を有するズームレンズ系が得られる。
【図面の簡単な説明】
【００１９】
【図１】本発明によるズームレンズ系の数値実施例１の短焦点距離端における無限遠合焦時のレンズ構成図である。
【図２】図１のように構成されたズームレンズ系の短焦点距離端における無限遠合焦時の諸収差図である。
【図３】図１のように構成されたズームレンズ系の中間焦点距離における無限遠合焦時の諸収差図である。
【図４】図１のように構成されたズームレンズ系の長焦点距離端における無限遠合焦時の諸収差図である。
【図５】本発明によるズームレンズ系の数値実施例２の短焦点距離端における無限遠合焦時のレンズ構成図である。
【図６】図５のように構成されたズームレンズ系の短焦点距離端における無限遠合焦時の諸収差図である。
【図７】図５のように構成されたズームレンズ系の中間焦点距離における無限遠合焦時の諸収差図である。
【図８】図５のように構成されたズームレンズ系の長焦点距離端における無限遠合焦時の諸収差図である。
【図９】本発明によるズームレンズ系の数値実施例３の短焦点距離端における無限遠合焦時のレンズ構成図である。
【図１０】図９のように構成されたズームレンズ系の短焦点距離端における無限遠合焦時の諸収差図である。
【図１１】図９のように構成されたズームレンズ系の中間焦点距離における無限遠合焦時の諸収差図である。
【図１２】図９のように構成されたズームレンズ系の長焦点距離端における無限遠合焦時の諸収差図である。
【図１３】本発明によるズームレンズ系の数値実施例４の短焦点距離端における無限遠合焦時のレンズ構成図である。
【図１４】図１３のように構成されたズームレンズ系の短焦点距離端における無限遠合焦時の諸収差図である。
【図１５】図１３のように構成されたズームレンズ系の中間焦点距離における無限遠合焦時の諸収差図である。
【図１６】図１３のように構成されたズームレンズ系の長焦点距離端における無限遠合焦時の諸収差図である。
【図１７】本発明によるズームレンズ系の数値実施例５の短焦点距離端における無限遠合焦時のレンズ構成図である。
【図１８】図１７のように構成されたズームレンズ系の短焦点距離端における無限遠合焦時の諸収差図である。
【図１９】図１７のように構成されたズームレンズ系の中間焦点距離における無限遠合焦時の諸収差図である。
【図２０】図１７のように構成されたズームレンズ系の長焦点距離端における無限遠合焦時の諸収差図である。
【図２１】本発明によるズームレンズ系の数値実施例６の短焦点距離端における無限遠合焦時のレンズ構成図である。
【図２２】図２１のように構成されたズームレンズ系の短焦点距離端における無限遠合焦時の諸収差図である。
【図２３】図２１のように構成されたズームレンズ系の中間焦点距離における無限遠合焦時の諸収差図である。
【図２４】図２１のように構成されたズームレンズ系の長焦点距離端における無限遠合焦時の諸収差図である。
【図２５】本発明によるズームレンズ系の数値実施例７の短焦点距離端における無限遠合焦時のレンズ構成図である。
【図２６】図２５のように構成されたズームレンズ系の短焦点距離端における無限遠合焦時の諸収差図である。
【図２７】図２５のように構成されたズームレンズ系の中間焦点距離における無限遠合焦時の諸収差図である。
【図２８】図２５のように構成されたズームレンズ系の長焦点距離端における無限遠合焦時の諸収差図である。
【図２９】本発明によるズームレンズ系の数値実施例８の短焦点距離端における無限遠合焦時のレンズ構成図である。
【図３０】図２９のように構成されたズームレンズ系の短焦点距離端における無限遠合焦時の諸収差図である。
【図３１】図２９のように構成されたズームレンズ系の中間焦点距離における無限遠合焦時の諸収差図である。
【図３２】図２９のように構成されたズームレンズ系の長焦点距離端における無限遠合焦時の諸収差図である。
【図３３】本発明によるズームレンズ系の数値実施例１のズーム軌跡を示す簡易移動図である。
【図３４】本発明によるズームレンズ系の数値実施例２のズーム軌跡を示す簡易移動図である。
【図３５】本発明によるズームレンズ系の数値実施例３のズーム軌跡を示す簡易移動図である。
【図３６】本発明によるズームレンズ系の数値実施例４のズーム軌跡を示す簡易移動図である。
【図３７】本発明によるズームレンズ系の数値実施例５のズーム軌跡を示す簡易移動図である。
【図３８】本発明によるズームレンズ系の数値実施例６のズーム軌跡を示す簡易移動図である。
【図３９】本発明によるズームレンズ系の数値実施例７のズーム軌跡を示す簡易移動図である。
【図４０】本発明によるズームレンズ系の数値実施例８のズーム軌跡を示す簡易移動図である。
【発明を実施するための形態】
【００２０】
本実施形態のズームレンズ系は、図３３〜図４０の簡易移動図に示すように、物体側から順に、正の屈折力の第１レンズ群Ｇ１と、負の屈折力の第２レンズ群Ｇ２と、正の屈折力の第３レンズ群Ｇ３と、正の屈折力の第４レンズ群Ｇ４とからなる。Ｉは像面である。
【００２１】
本実施形態のズームレンズ系は、短焦点距離端（Ｗ）から中間焦点距離（Ｍ）を介した長焦点距離端（Ｔ）への変倍（ズーミング）に際し、第１レンズ群Ｇ１と第２レンズ群Ｇ２の間隔が増大し、第２レンズ群Ｇ２と第３レンズ群Ｇ３の間隔が減少し、第３レンズ群Ｇ３と第４レンズ群Ｇ４の間隔が増大する。
【００２２】
より具体的に、第１レンズ群Ｇ１と第３レンズ群Ｇ３は、全数値実施例１−８を通じて、短焦点距離端から長焦点距離端への変倍に際し、単調に物体側に移動する（繰り出される）。第１レンズ群Ｇ１の移動量（繰出量）は、第３レンズ群Ｇ３の移動量（繰出量）よりも大きい。
【００２３】
第２レンズ群Ｇ２は、短焦点距離端から長焦点距離端への変倍に際し、数値実施例１、３では、単調に物体側に移動し、数値実施例２では、一旦物体側に移動してから若干量だけ像側に戻り、数値実施例４−７では、一旦像側に移動してから短焦点距離端の位置を超えて物体側に移動し、数値実施例８では、像面Ｉに対して固定されている。
【００２４】
第４レンズ群Ｇ４は、短焦点距離端から長焦点距離端への変倍に際し、数値実施例１、４、６−８では、一旦物体側に移動してから若干量だけ像側に戻り、数値実施例２では、単調に像側に移動し、数値実施例３では、一旦像側に移動してから短焦点距離端の位置を超えて物体側に移動し、数値実施例５では、単調に物体側に移動する。
【００２５】
このように、短焦点距離端から長焦点距離端への変倍に際し、第２レンズ群Ｇ２と第４レンズ群Ｇ４の移動軌跡が多様に存在することから明らかなように、第２レンズ群Ｇ２と第４レンズ群Ｇ４の移動軌跡には自由度があり、種々の設計変更が可能である。
【００２６】
第１レンズ群Ｇ１は、全数値実施例１−８を通じて、物体側から順に、負レンズ１１と、正レンズ１２とからなる。正レンズ１２はその両面が非球面である。
【００２７】
第２レンズ群Ｇ２は、全数値実施例１−８を通じて、物体側から順に、負レンズ２１と、負レンズ２２と、正レンズ２３とからなる。負レンズ２２はその両面が非球面である。
【００２８】
第３レンズ群Ｇ３は、数値実施例１−５、８では、物体側から順に、物体側から順に位置する正レンズ３１と負レンズ３２の接合レンズと、正レンズ３３とからなる。正レンズ３１は、数値実施例１、４、８では、その両面が球面であり、数値実施例２、３、５では、その物体側の面が非球面である。正レンズ３３はその両面が非球面である。
第３レンズ群Ｇ３は、数値実施例６、７では、物体側から順に、正レンズ３１’と、物体側から順に位置する正レンズ３２’と負レンズ３３’の接合レンズと、正レンズ３４’とからなる。正レンズ３４’はその両面が非球面である。
【００２９】
第４レンズ群Ｇ４は、全数値実施例１−８を通じて、その両面が非球面の正単レンズ４１からなる。正単レンズ４１は、無限遠物体から近距離物体へのフォーカシング時に物体側に移動するフォーカスレンズである。
【００３０】
本実施形態のズームレンズ系は、第１レンズ群Ｇ１の正レンズ１２の両面が非球面となっているが、この正レンズ１２はその少なくとも１面が非球面であればよい。また、第１レンズ群Ｇ１中に、正レンズ１２とは別に、その少なくとも１面が非球面の正レンズを設けてもよい。このように、第１レンズ群Ｇ１に、その少なくとも１面が非球面の正レンズを含ませることで、第１レンズ群Ｇ１ひいてはレンズ全系の薄型化を図りつつ、特に短焦点距離端においてコマ収差を良好に補正することができる。
【００３１】
本実施形態のズームレンズ系は、第４レンズ群Ｇ４の正単レンズ４１の両面が非球面となっているが、この正単レンズ４１はその少なくとも１面が非球面であればよい。このように、フォーカスレンズである正単レンズ４１の少なくとも１面を非球面とすることで、フォーカシング時の収差変動を抑えることができる。また、フォーカスレンズを正単レンズ４１で構成することにより、フォーカスレンズの軽量化と小型化を図り、フォーカス駆動系の負担を軽減して、迅速で静穏なフォーカシングを行うことができる。
【００３２】
本実施形態のズームレンズ系は、物体側から順に、正の屈折力の第１レンズ群Ｇ１と、負の屈折力の第２レンズ群Ｇ２と、正の屈折力の第３レンズ群Ｇ３と、正の屈折力の第４レンズ群Ｇ４とからなり、短焦点距離端から長焦点距離端への変倍に際し、少なくとも第１レンズ群Ｇ１と第３レンズ群Ｇ３を光軸方向に移動させる（繰り出す）ことを必須の構成としている。
【００３３】
そして、短焦点距離端から長焦点距離端への変倍に際する第１レンズ群Ｇ１と第３レンズ群Ｇ３の移動量（繰出量）の比を最適設定することで、変倍全域（特に長焦点距離端と短焦点距離端）でレンズ全長を短くするとともに、前玉径を小さくして、レンズ全系をコンパクトにすることができ、同時に、短焦点距離端において、周辺像高の色収差を良好に補正することができる。
【００３４】
さらに、長焦点距離端における全系の焦点距離と、第１レンズ群Ｇ１の焦点距離との比を最適設定することで、長焦点距離端において軸上色収差を良好に補正し、短焦点距離端において周辺像高のコマ収差を良好に補正することができる。
【００３５】
条件式（１）は、短焦点距離端から長焦点距離端への変倍に際する第１レンズ群Ｇ１と第３レンズ群Ｇ３の移動量（繰出量）の比を規定している。条件式（１）を満足することで、変倍全域（特に長焦点距離端と短焦点距離端）でレンズ全長を短くするとともに、前玉径を小さくして、レンズ全系をコンパクトにすることができる。また、短焦点距離端において、周辺像高の色収差を良好に補正することができる。
条件式（１）の上限を超えると、変倍全域（特に長焦点距離端と短焦点距離端）でレンズ全長が長くなり、前玉径が大きくなるため、レンズ全系が大型化してしまう。
条件式（１）の下限を超えると、第３レンズ群Ｇ３のパワーが強くなりすぎて、短焦点距離端において、周辺像高の色収差補正が困難となり、光学性能が劣化してしまう。
【００３６】
条件式（２）は、長焦点距離端における全系の焦点距離と、第１レンズ群Ｇ１の焦点距離との比を規定している。条件式（２）を満足することで、長焦点距離端において軸上色収差を良好に補正し、短焦点距離端において周辺像高のコマ収差を良好に補正することができる。
条件式（２）の上限を超えると、長焦点距離端において軸上色収差の補正が困難になり、短焦点距離端において周辺像高のコマ収差の補正が困難になり、光学性能が劣化してしまう。
条件式（２）の下限を超えると、長焦点距離端におけるレンズ全長が長くなり、前玉径が大きくなるため、レンズ全系が大型化してしまう。
【００３７】
条件式（３）は、第１レンズ群Ｇ１の群厚（第１レンズ群Ｇ１の最も物体側の面から最も像側の面までの光軸上の距離）と、第１レンズ群Ｇ１の焦点距離との比を規定している。条件式（３）を満足することで、第１レンズ群Ｇ１の群厚と長焦点距離端におけるレンズ全長を抑えて、レンズ全系をコンパクトにすることができる。
条件式（３）の上限を超えると、第１レンズ群Ｇ１の群厚が厚くなりすぎて、レンズ全系が大型化してしまう。
条件式（３）の下限を超えると、長焦点距離端におけるレンズ全長が長くなり、レンズ全系が大型化してしまう。
【００３８】
本実施形態のズームレンズ系は、第３レンズ群Ｇ３が、少なくとも１枚の正レンズ３１、３３（３１’、３２’、３４’）を有している。なお、第３レンズ群Ｇ３は、正レンズ３１、３３（３１’、３２’、３４’）とは別の正レンズを含んでいてもよい。
条件式（４）は、この構成において、第３レンズ群Ｇ３中の正レンズのうち最も物体側の正レンズ３１（３１’）の厚み（該正レンズ３１（３１’）の最も物体側の面から最も像側の面までの光軸上の距離）と、第３レンズ群Ｇ３中の正レンズのうち最も物体側の正レンズ３１（３１’）の焦点距離との比を規定している。条件式（４）を満足することで、第３レンズ群Ｇ３の群厚を薄くしてレンズ全系をコンパクトにするとともに、長焦点距離端において軸上色収差を良好に補正することができる。
条件式（４）の上限を超えると、第３レンズ群Ｇ３の群厚が厚くなりすぎて、レンズ全系が大型化してしまう。
条件式（４）の下限を超えると、長焦点距離端において、軸上色収差の補正が不十分となり、光学性能が劣化してしまう。
【００３９】
本実施形態のズームレンズ系は、短焦点距離端から長焦点距離端への変倍に際し、第２レンズ群Ｇ２と第３レンズ群Ｇ３の間隔が減少し、第３レンズ群Ｇ３と第４レンズ群Ｇ４の間隔が増大する。
条件式（５）は、この構成において、長焦点距離端における無限遠合焦時の第３レンズ群Ｇ３の横倍率と、短焦点距離端における無限遠合焦時の第３レンズ群Ｇ３の横倍率との比、すなわち第３レンズ群Ｇ３が受け持つ変倍負担を規定している。条件式（５）を満足することで、変倍比１０倍程度の高変倍化を達成するとともに、変倍全域（特に長焦点距離端と短焦点距離端）におけるレンズ全長を短くしてレンズ全系をコンパクトにすることができる。
条件式（５）の上限を超えると、長焦点距離端におけるレンズ全長が長くなり、レンズ全系が大型化してしまう。
条件式（５）の下限を超えると、短焦点距離端におけるレンズ全長が長くなり、レンズ全系が大型化してしまう。また、変倍比１０倍程度の高変倍化を達成するのが困難になる。
【００４０】
本実施形態のズームレンズ系は、第３レンズ群Ｇ３が、少なくとも１枚の正レンズ３１、３３（３１’、３２’、３４’）と、少なくとも１枚の負レンズ３２（３３’）とを有している。なお、第３レンズ群Ｇ３は、正レンズ３１、３３（３１’、３２’、３４’）とは別の正レンズ、及び／又は、負レンズ３２（３３’）とは別の負レンズを含んでいてもよい。
条件式（６）は、この構成において、第３レンズ群Ｇ３中の正レンズのうち最も物体側の正レンズ３１（３１’）のｄ線に対するアッベ数と、第３レンズ群Ｇ３中の負レンズのうち最も像側の負レンズ３２（３３’）のｄ線に対するアッベ数との差を規定している。条件式（６）を満足することで、特に長焦点距離端において、球面収差、軸上色収差、色フレアを良好に補正することができる。
条件式（６）の上限を超えると、正レンズ３１（３１’）と負レンズ３２（３３’）のそれぞれの屈折力が大きくなりすぎて、長焦点距離端において、色ごとの球面収差の変化が増大し、軸上から周辺にかけて色フレアが増大するため、光学性能が劣化してしまう。
条件式（６）の下限を超えると、長焦点距離端において、軸上色収差の補正が困難になり、光学性能が劣化してしまう。
【実施例】
【００４１】
次に具体的な数値実施例を示す。諸収差図及び表中において、ｄ線、ｇ線、Ｃ線はそれぞれの波長に対する収差、Ｓはサジタル、Ｍはメリディオナル、FNO.はＦナンバー、fは全系の焦点距離、Wは半画角（゜）、Yは像高、fB はバックフォーカス、Lはレンズ全長、rは曲率半径、ｄはレンズ厚またはレンズ間隔、N(d)はｄ線に対する屈折率、νｄはｄ線に対するアッベ数を示す。Ｆナンバー、焦点距離、半画角、像高、バックフォーカス、レンズ全長及び変倍に伴って間隔が変化するレンズ間隔ｄは、短焦点距離端−中間焦点距離−長焦点距離端の順に示している。
回転対称非球面は次式で定義される。
x=cy2/[1+[1-(1+K)c2y2]1/2]+A4y4+A6y6+A8y8+A10y10+A12y12・・・
（但し、cは曲率（１／ｒ）、ｙは光軸からの高さ、Ｋは円錐係数、Ａ４、Ａ６、Ａ８、・・・・・は各次数の非球面係数）
【００４２】
［数値実施例１］
図１〜図４と表１〜表４は、本発明によるズームレンズ系の数値実施例１を示している。図１は、短焦点距離端における無限遠合焦時のレンズ構成図である。図２、図３、図４は、短焦点距離端、中間焦点距離、長焦点距離端の無限遠合焦時の諸収差図である。表１は面データ、表２は各種データ、表３は非球面データ、表４はレンズ群データである。
【００４３】
本数値実施例１のズームレンズ系は、物体側から順に、正の屈折力の第１レンズ群Ｇ１と、負の屈折力の第２レンズ群Ｇ２と、正の屈折力の第３レンズ群Ｇ３と、正の屈折力の第４レンズ群Ｇ４とからなる。第２レンズ群Ｇ２と第３レンズ群Ｇ３の間に位置する絞りＳは、第３レンズ群Ｇ３と一体に移動する。第４レンズ群Ｇ４と像面Ｉとの間には、光学フィルタＯＰとカバーガラスＣＧが配置されている。
【００４４】
第１レンズ群Ｇ１は、物体側から順に、物体側に凸の負メニスカスレンズ１１と、両凸正レンズ１２とからなる。両凸正レンズ１２はその両面が非球面である。
【００４５】
第２レンズ群Ｇ２は、物体側から順に、両凹負レンズ２１と、物体側に凸の負メニスカスレンズ２２と、物体側に凸の正メニスカスレンズ２３とからなる。負メニスカスレンズ２２はその両面が非球面である。
【００４６】
第３レンズ群Ｇ３は、物体側から順に、物体側から順に位置する両凸正レンズ３１と両凹負レンズ３２の接合レンズと、両凸正レンズ３３とからなる。両凸正レンズ３３はその両面が非球面である。
【００４７】
第４レンズ群Ｇ４は、物体側に凸の正メニスカス単レンズ４１からなる。正メニスカス単レンズ４１はその両面が非球面である。正メニスカス単レンズ４１はフォーカシング時に物体側に移動するフォーカスレンズである。
【００４８】
（表１）
面データ
面番号          r          d          N(d)        νｄ
1            29.500      0.800      1.84666       23.8
2            18.640      0.050
3*           15.107      2.890      1.61881       63.8
4*          -58.716        d4
5          -112.657      0.500      1.83481       42.7
6             4.198      1.574
7*           49.185      0.470      1.54358       55.7
8*            6.532      0.150
9             6.766      1.082      2.00272       19.3
10           15.708       d10
11絞           ∞       0.200
12            4.937      2.500      1.83481       42.7
13           -3.893      0.700      1.90366       31.3
14            5.258      0.096
15*           5.444      2.001      1.54358       55.7
16*         -22.384       d16
17*          14.205      1.450      1.54358       55.7
18*          52.891       d18
19             ∞        0.300      1.51680       64.2
20             ∞        0.560
21             ∞        0.500      1.51680       64.2
22             ∞          -
＊は回転対称非球面である。
（表２）
各種データ
ズーム比（変倍比）    9.59
短焦点距離端          中間焦点距離          長焦点距離端
FNO.            3.6                   5.3                   6.1
f              4.60                 15.99                 44.14
W              42.3                  13.4                   4.9
Y              3.50                  3.86                  3.86
fB             0.59                  0.59                  0.59
L             34.47                 42.90                 51.20
d4            0.300                 8.273                16.156
d10          10.221                 3.076                 0.100
d16           3.785                 7.525                13.397
d18           3.749                 7.600                 5.136
（表３）
非球面データ（表示していない非球面係数は0.00である）
面番号   K          A4             A6             A8            A10
3      0.000  -0.1104E-04     0.4235E-06    -0.3456E-08     0.8682E-11
4      0.000   0.1273E-04     0.7873E-06    -0.1170E-07     0.6409E-10
7      0.000  -0.2337E-02     0.1214E-03    -0.1939E-05
8      0.000  -0.3175E-02     0.1583E-03    -0.4906E-05
15     0.000   0.2309E-03     0.2824E-04     0.2413E-04
16     0.000   0.2973E-02     0.9467E-04     0.5533E-04
17     0.000   0.4852E-03    -0.3918E-04     0.1617E-07    -0.2674E-08
18     0.000   0.6622E-03    -0.7182E-04     0.1544E-05    -0.4171E-07
（表４）
レンズ群データ
群          始面          焦点距離
1              1             29.17
2              5             -5.27
3             12              8.49
4             17             35.26
【００４９】
［数値実施例２］
図５〜図８と表５〜表８は、本発明によるズームレンズ系の数値実施例２を示している。図５は、短焦点距離端における無限遠合焦時のレンズ構成図である。図６、図７、図８は、短焦点距離端、中間焦点距離、長焦点距離端の無限遠合焦時の諸収差図である。表５は面データ、表６は各種データ、表７は非球面データ、表８はレンズ群データである。
【００５０】
この数値実施例２のレンズ構成は、次の点を除き、数値実施例１のレンズ構成と同様である。
（１）第２レンズ群Ｇ２の負レンズ２１が物体側に凸の負メニスカスレンズである。
（２）第３レンズ群Ｇ３の両凸正レンズ３１の物体側の面が非球面である（球面ではない）。
（３）第４レンズ群Ｇ４の正単レンズ４１が両凸正単レンズである。
【００５１】
（表５）
面データ
面番号          r          d          N(d)        νｄ
1            29.500      0.800      1.84666       23.8
2            18.640      0.050
3*           13.763      2.890      1.61881       63.8
4*          -76.623        d4
5           154.206      0.500      1.91082       35.2
6             4.433      1.550
7*           31.238      0.600      1.54358       55.7
8*            4.922      0.100
9             6.445      1.010      1.94594       18.0
10           18.629       d10
11絞           ∞       0.200
12*           5.133      2.500      1.83441       37.3
13          -14.455      0.700      1.84666       23.8
14            4.722      0.090
15*           6.806      2.030      1.54358       55.7
16*         -11.631       d16
17*          25.397      1.450      1.54358       55.7
18*         -45.269       d18
19             ∞        0.300      1.51680       64.2
20             ∞        0.560
21             ∞        0.500      1.51680       64.2
22             ∞          -
＊は回転対称非球面である。
（表６）
各種データ
ズーム比（変倍比）    9.59
短焦点距離端          中間焦点距離          長焦点距離端
FNO.            3.5                   5.5                   6.1
f              4.60                 16.00                 44.10
W              42.6                  13.7                   5.0
Y              3.50                  3.86                  3.86
fB             0.59                  0.59                  0.59
L             34.08                 43.99                 51.20
d4            0.300                 7.288                15.023
d10           9.591                 3.341                 0.100
d16           3.578                13.065                15.910
d18           4.196                 3.873                 3.746
（表７）
非球面データ（表示していない非球面係数は0.00である）
面番号   K          A4             A6             A8            A10
3      0.000   0.3522E-05    -0.6387E-06     0.2030E-07    -0.2998E-09
4      0.000   0.3412E-04    -0.2092E-06     0.6628E-08    -0.1629E-09
7      0.000  -0.7414E-02     0.8119E-03    -0.5465E-04     0.1485E-05
8      0.000  -0.8664E-02     0.9581E-03    -0.7227E-04     0.2232E-05
12     0.000  -0.3282E-03    -0.5778E-05
15     0.000  -0.3244E-03    -0.4456E-04     0.1324E-04
16     0.000   0.1027E-02    -0.2093E-03     0.1109E-03    -0.1293E-04
17     0.000   0.3202E-03     0.1476E-04     0.6037E-05    -0.4847E-06
A12
0.1373E-07
18     0.000   0.5790E-03    -0.9200E-04     0.1956E-04    -0.1273E-05
A12
0.3211E-07
（表８）
レンズ群データ
群          始面          焦点距離
1              1             27.89
2              5             -5.09
3             12              8.46
4             17             30.15
【００５２】
［数値実施例３］
図９〜図１２と表９〜表１２は、本発明によるズームレンズ系の数値実施例３を示している。図９は、短焦点距離端における無限遠合焦時のレンズ構成図である。図１０、図１１、図１２は、短焦点距離端、中間焦点距離、長焦点距離端の無限遠合焦時の諸収差図である。表９は面データ、表１０は各種データ、表１１は非球面データ、表１２はレンズ群データである。
【００５３】
この数値実施例３のレンズ構成は、次の点を除き、数値実施例１のレンズ構成と同様である。
（１）第２レンズ群Ｇ２の負レンズ２２が両凹負レンズである。
（２）第３レンズ群Ｇ３の両凸正レンズ３１の物体側の面が非球面である（球面ではない）。
（３）第４レンズ群Ｇ４の正単レンズ４１が両凸正単レンズである。
【００５４】
（表９）
面データ
面番号          r          d          N(d)        νｄ
1            26.588      0.800      1.84666       23.8
2            17.395      0.050
3*           13.562      2.890      1.61881       63.8
4*          -71.597        d4
5          -315.108      0.500      1.88300       40.8
6             4.242      1.679
7*          -36.248      0.470      1.54358       55.7
8*           10.013      0.150
9             9.026      1.001      1.94594       18.0
10           37.349       d10
11絞           ∞       0.200
12*           4.720      2.414      1.82080       42.7
13           -4.029      0.700      1.90366       31.3
14            5.252      0.154
15*           7.295      1.250      1.54358       55.7
16*         -12.615       d16
17*          24.404      1.450      1.54358       55.7
18*         -68.820       d18
19             ∞        0.300      1.51680       64.2
20             ∞        0.560
21             ∞        0.500      1.51680       64.2
22             ∞          -
＊は回転対称非球面である。
（表１０）
各種データ
ズーム比（変倍比）    9.59
短焦点距離端          中間焦点距離          長焦点距離端
FNO.            3.6                   5.5                   6.7
f              4.61                 15.98                 44.20
W              42.5                  13.5                   5.0
Y              3.50                  3.86                  3.86
fB             0.59                  0.59                  0.59
L             34.36                 43.57                 51.20
d4            0.300                 7.908                14.170
d10          10.172                 3.805                 0.100
d16           3.889                12.385                16.905
d18           4.335                 3.810                 4.365
（表１１）
非球面データ（表示していない非球面係数は0.00である）
面番号   K          A4             A6             A8            A10
3      0.000   0.1486E-04    -0.7270E-06     0.8692E-08    -0.7353E-10
4      0.000   0.5293E-04    -0.8643E-06     0.1064E-07    -0.7101E-10
7      0.000  -0.9569E-03    -0.1119E-03     0.4899E-05
8      0.000  -0.1784E-02    -0.7513E-04     0.4428E-05
12     0.000  -0.1377E-03     0.2890E-04
15     0.000   0.7846E-03    -0.4828E-04     0.6235E-04
16     0.000   0.2677E-02     0.1555E-03     0.7744E-04
17     0.000   0.1082E-02    -0.1738E-03     0.1531E-04    -0.4419E-06
18     0.000   0.1479E-02    -0.2669E-03     0.2218E-04    -0.6225E-06
（表１２）
レンズ群データ
群          始面          焦点距離
1              1             27.05
2              5             -5.16
3             12              8.65
4             17             33.32
【００５５】
［数値実施例４］
図１３〜図１６と表１３〜表１６は、本発明によるズームレンズ系の数値実施例４を示している。図１３は、短焦点距離端における無限遠合焦時のレンズ構成図である。図１４、図１５、図１６は、短焦点距離端、中間焦点距離、長焦点距離端の無限遠合焦時の諸収差図である。表１３は面データ、表１４は各種データ、表１５は非球面データ、表１６はレンズ群データである。
【００５６】
この数値実施例４のレンズ構成は、数値実施例１のレンズ構成と同様である。
【００５７】
（表１３）
面データ
面番号          r          d          N(d)        νｄ
1            28.768      0.800      1.84666       23.8
2            18.335      0.050
3*           14.793      2.890      1.61881       63.8
4*          -65.222        d4
5           -57.220      0.500      1.83481       42.7
6             4.072      1.550
7*           11.853      0.600      1.54358       55.7
8*            5.331      0.150
9             7.991      1.000      1.94594       18.0
10           24.325       d10
11絞           ∞       0.200
12            4.503      2.500      1.80420       46.5
13           -5.944      0.700      1.90366       31.3
14            4.455      0.090
15*           4.337      2.030      1.54358       55.7
16*         -36.989       d16
17*          12.100      1.450      1.54358       55.7
18*          30.383       d18
19             ∞        0.300      1.51680       64.2
20             ∞        0.560
21             ∞        0.500      1.51680       64.2
22             ∞          -
＊は回転対称非球面である。
（表１４）
各種データ
ズーム比（変倍比）    9.59
短焦点距離端          中間焦点距離          長焦点距離端
FNO.            3.6                   5.1                   6.4
f              4.60                 16.01                 44.10
W              43.2                  13.3                   4.9
Y              3.50                  3.86                  3.86
fB             0.59                  0.59                  0.59
L             33.93                 42.06                 51.20
d4            0.300                 9.062                15.999
d10          10.067                 3.048                 0.100
d16           3.745                 5.887                14.164
d18           3.351                 7.600                 4.477
（表１５）
非球面データ（表示していない非球面係数は0.00である）
面番号   K          A4             A6             A8            A10
3      0.000  -0.1537E-04     0.3381E-07     0.2295E-08    -0.4243E-10
4      0.000   0.5970E-05     0.3642E-06    -0.4419E-08     0.9532E-11
7      0.000  -0.4758E-02     0.3628E-03    -0.1413E-04
8      0.000  -0.6660E-02     0.3850E-03    -0.1957E-04
15     0.000  -0.1141E-02    -0.1849E-03     0.1269E-04
16     0.000   0.2826E-02     0.8772E-04     0.2599E-04
17     0.000  -0.7611E-03     0.5318E-04    -0.1340E-05     0.1115E-07
18     0.000  -0.8411E-03     0.4790E-04    -0.9213E-06
（表１６）
レンズ群データ
群          始面          焦点距離
1              1             29.31
2              5             -5.28
3             12              8.33
4             17             35.99
【００５８】
［数値実施例５］
図１７〜図２０と表１７〜表２０は、本発明によるズームレンズ系の数値実施例５を示している。図１７は、短焦点距離端における無限遠合焦時のレンズ構成図である。図１８、図１９、図２０は、短焦点距離端、中間焦点距離、長焦点距離端の無限遠合焦時の諸収差図である。表１７は面データ、表１８は各種データ、表１９は非球面データ、表２０はレンズ群データである。
【００５９】
この数値実施例５のレンズ構成は、次の点を除き、数値実施例１のレンズ構成と同様である。
（１）第３レンズ群Ｇ３の両凸正レンズ３１の物体側の面が非球面である（球面ではない）。
【００６０】
（表１７）
面データ
面番号          r          d          N(d)        νｄ
1            23.219      0.700      1.84666       23.8
2            15.941      0.248
3*           17.136      2.802      1.61881       63.8
4*          -47.456        d4
5           -48.494      0.500      1.88300       40.8
6             4.215      1.262
7*           11.207      0.470      1.54358       55.7
8*            5.582      0.150
9             6.962      1.273      1.94594       18.0
10           17.236       d10
11絞           ∞       0.200
12*           4.735      2.500      1.82080       42.7
13           -4.069      0.700      1.90366       31.3
14            5.309      0.148
15*           7.076      0.802      1.54358       55.7
16*         -13.672       d16
17*          12.100      1.450      1.54358       55.7
18*          30.224       d18
19             ∞        0.300      1.51680       64.2
20             ∞        0.560
21             ∞        0.500      1.51680       64.2
22             ∞          -
＊は回転対称非球面である。
（表１８）
各種データ
ズーム比（変倍比）    9.63
短焦点距離端          中間焦点距離          長焦点距離端
FNO.            3.7                   5.2                   5.9
f              4.60                 15.98                 44.34
W              42.7                  12.9                   4.7
Y              3.50                  3.86                  3.86
fB             0.59                  0.59                  0.59
L             34.32                 43.41                 51.80
d4            0.300                 9.585                17.838
d10          10.439                 3.382                 0.100
d16           5.056                 7.139                10.190
d18           3.380                 8.080                 8.435
（表１９）
非球面データ（表示していない非球面係数は0.00である）
面番号   K          A4             A6             A8            A10
3      0.000   0.2694E-04     0.1057E-06    -0.1519E-10    -0.3771E-11
4      0.000   0.4122E-04     0.1778E-06    -0.4086E-08     0.2286E-10
7      0.000  -0.3421E-02     0.1357E-03    -0.2702E-05
8      0.000  -0.5093E-02     0.1816E-03    -0.8167E-05
12     0.000  -0.1377E-03     0.2890E-04
15     0.000  -0.3948E-03    -0.1946E-03     0.2413E-03
16     0.000   0.2048E-02    -0.3339E-03     0.3100E-03
17     0.000  -0.1512E-02     0.2100E-03    -0.3662E-04     0.1435E-05
18     0.000  -0.1061E-02     0.1532E-03    -0.2999E-04     0.1171E-05
（表２０）
レンズ群データ
群          始面          焦点距離
1              1             30.95
2              5             -5.31
3             12              8.51
4             17             36.10
【００６１】
［数値実施例６］
図２１〜図２４と表２１〜表２４は、本発明によるズームレンズ系の数値実施例６を示している。図２１は、短焦点距離端における無限遠合焦時のレンズ構成図である。図２２、図２３、図２４は、短焦点距離端、中間焦点距離、長焦点距離端の無限遠合焦時の諸収差図である。表２１は面データ、表２２は各種データ、表２３は非球面データ、表２４はレンズ群データである。
【００６２】
この数値実施例６のレンズ構成は、次の点を除き、数値実施例１のレンズ構成と同様である。
（１）第３レンズ群Ｇ３が、物体側から順に、両凸正レンズ３１’と、物体側から順に位置する両凸正レンズ３２’と両凹負レンズ３３’の接合レンズと、両凸正レンズ３４’とからなる。両凸正レンズ３４’はその両面が非球面である。
【００６３】
（表２１）
面データ
面番号          r          d          N(d)        νｄ
1            19.134      0.800      1.84666       23.8
2            13.636      0.030
3*           12.310      2.846      1.61881       63.8
4*         -113.576        d4
5           -90.446      0.500      1.83481       42.7
6             3.881      1.600
7*           17.024      0.600      1.54358       55.7
8*            5.832      0.100
9             7.218      1.000      1.94594       18.0
10           18.706       d10
11絞           ∞       0.200
12            6.559      1.052      1.58913       61.2
13       -18864.342      0.100
14            7.140      2.071      1.80420       46.5
15           -5.662      0.700      1.90366       31.3
16            5.274      0.250
17*          13.019      1.147      1.54358       55.7
18*         -15.538       d18
19*          12.100      1.450      1.54358       55.7
20*          93.124       d20
21             ∞        0.300      1.51680       64.2
22             ∞        0.560
23             ∞        0.500      1.51680       64.2
24             ∞          -
＊は回転対称非球面である。
（表２２）
各種データ
ズーム比（変倍比）    9.59
短焦点距離端          中間焦点距離          長焦点距離端
FNO.            3.7                   5.1                   6.8
f              4.60                 16.01                 44.12
W              42.9                  13.5                   4.9
Y              3.50                  3.86                  3.86
fB             0.59                  0.59                  0.59
L             34.50                 41.74                 52.21
d4            0.300                 8.198                13.572
d10          10.145                 2.958                 0.056
d18           4.762                 6.574                16.360
d20           2.900                 7.600                 5.821
（表２３）
非球面データ（表示していない非球面係数は0.00である）
面番号   K          A4             A6             A8            A10
3      0.000   0.4382E-05    -0.5280E-06     0.5129E-08     0.1093E-10
4      0.000   0.2827E-04    -0.5974E-06     0.1077E-07    -0.4689E-10
7      0.000  -0.3920E-02     0.4169E-03    -0.1758E-04     0.3735E-07
8      0.000  -0.5430E-02     0.4292E-03    -0.2383E-04
17     0.000  -0.1658E-03    -0.1939E-03     0.4151E-04
18     0.000   0.6919E-03    -0.1032E-03     0.4113E-04
19     0.000  -0.1303E-02     0.5477E-04    -0.4412E-05     0.6212E-07
20     0.000  -0.1336E-02     0.5365E-04    -0.4299E-05     0.6863E-07
（表２４）
レンズ群データ
群          始面          焦点距離
1              1             26.52
2              5             -4.99
3             12              8.49
4             19             25.42
【００６４】
［数値実施例７］
図２５〜図２８と表２５〜表２８は、本発明によるズームレンズ系の数値実施例７を示している。図２５は、短焦点距離端における無限遠合焦時のレンズ構成図である。図２６、図２７、図２８は、短焦点距離端、中間焦点距離、長焦点距離端の無限遠合焦時の諸収差図である。表２５は面データ、表２６は各種データ、表２７は非球面データ、表２８はレンズ群データである。
【００６５】
この数値実施例７のレンズ構成は、次の点を除き、数値実施例６のレンズ構成と同様である。
（１）第３レンズ群Ｇ３の正レンズ３１’が物体側に凸の正メニスカスレンズである。
【００６６】
（表２５）
面データ
面番号          r          d          N(d)        νｄ
1            27.486      0.800      1.84666       23.8
2            17.715      0.050
3*           13.664      2.900      1.61881       63.8
4*          -74.849        d4
5           -70.133      0.500      1.83481       42.7
6             4.015      1.600
7*           25.429      0.600      1.54358       55.7
8*            6.773      0.100
9             8.048      1.000      1.94594       18.0
10           23.993       d10
11絞           ∞       0.200
12            6.024      1.010      1.60311       60.7
13           24.061      0.100
14            6.794      2.171      1.80420       46.5
15           -6.114      0.700      1.90366       31.3
16            5.162      0.160
17*           9.269      1.180      1.54358       55.7
18*         -16.575       d18
19*          12.100      1.450      1.54358       55.7
20*          54.595       d20
21             ∞        0.300      1.51680       64.2
22             ∞        0.560
23             ∞        0.500      1.51680       64.2
24             ∞          -
＊は回転対称非球面である。
（表２６）
各種データ
ズーム比（変倍比）    9.59
短焦点距離端          中間焦点距離          長焦点距離端
FNO.            3.7                   5.2                   6.8
f              4.60                 16.01                 44.11
W              43.2                  13.5                   4.9
Y              3.50                  3.86                  3.86
fB             0.59                  0.59                  0.59
L             34.50                 42.18                 52.30
d4            0.300                 8.593                14.590
d10          10.122                 2.937                 0.094
d18           4.707                 6.574                16.083
d20           2.900                 7.600                 5.068
（表２７）
非球面データ（表示していない非球面係数は0.00である）
面番号   K          A4             A6             A8            A10
3      0.000  -0.8390E-05    -0.3308E-06     0.3756E-08    -0.6748E-12
4      0.000   0.1936E-04    -0.2123E-06     0.4621E-08    -0.1728E-10
7      0.000  -0.3119E-02     0.2734E-03    -0.9561E-05    -0.3064E-06
8      0.000  -0.4434E-02     0.3031E-03    -0.1835E-04
17     0.000  -0.2696E-03    -0.2811E-03     0.6494E-04
18     0.000   0.1211E-02    -0.1536E-03     0.6098E-04
19     0.000  -0.8857E-03     0.3056E-04    -0.1302E-05     0.9695E-08
20     0.000  -0.9057E-03     0.2328E-04    -0.8489E-06     0.3737E-09
（表２８）
レンズ群データ
群          始面          焦点距離
1              1             27.69
2              5             -5.13
3             12              8.46
4             19             28.26
【００６７】
［数値実施例８］
図２９〜図３２と表２９〜表３２は、本発明によるズームレンズ系の数値実施例８を示している。図２９は、短焦点距離端における無限遠合焦時のレンズ構成図である。図３０、図３１、図３２は、短焦点距離端、中間焦点距離、長焦点距離端の無限遠合焦時の諸収差図である。表２９は面データ、表３０は各種データ、表３１は非球面データ、表３２はレンズ群データである。
【００６８】
この数値実施例８のレンズ構成は、数値実施例１のレンズ構成と同様である。
【００６９】
（表２９）
面データ
面番号          r          d          N(d)        νｄ
1            29.500      0.800      1.84666       23.8
2            18.640      0.050
3*           15.143      2.890      1.61881       63.8
4*          -54.136        d4
5          -294.733      0.500      1.88300       40.8
6             4.281      1.583
7*          148.255      0.476      1.54358       55.7
8*            7.655      0.156
9             7.844      1.027      1.94594       18.0
10           23.873       d10
11絞           ∞       0.200
12            4.829      2.341      1.82080       42.7
13           -4.029      0.700      1.90366       31.3
14            5.421      0.131
15*           6.651      1.632      1.54358       55.7
16*         -14.081       d16
17*          12.100      1.450      1.54358       55.7
18*          25.599       d18
19             ∞        0.300      1.51680       64.2
20             ∞        0.560
21             ∞        0.500      1.51680       64.2
22             ∞          -
＊は回転対称非球面である。
（表３０）
各種データ
ズーム比（変倍比）    9.18
短焦点距離端          中間焦点距離          長焦点距離端
FNO.            3.6                   5.2                   5.9
f              4.64                 15.97                 42.63
W              41.7                  13.2                   5.0
Y              3.50                  3.86                  3.86
fB             0.59                  0.59                  0.59
L             34.54                 42.59                 49.98
d4            0.300                 8.457                15.838
d10          10.261                 3.152                 0.100
d16           4.244                 7.444                13.064
d18           3.847                 7.653                 5.094
（表３１）
非球面データ（表示していない非球面係数は0.00である）
面番号   K          A4             A6             A8            A10
3      0.000  -0.1070E-04     0.5309E-06    -0.4561E-08     0.1262E-10
4      0.000   0.1624E-04     0.8213E-06    -0.1159E-07     0.5829E-10
7      0.000  -0.2599E-02     0.8387E-04    -0.3310E-05
8      0.000  -0.3383E-02     0.1140E-03    -0.3549E-05
15     0.000   0.3998E-03    -0.9601E-04     0.7265E-04
16     0.000   0.2605E-02    -0.4919E-04     0.9271E-04
17     0.000   0.6046E-03    -0.6979E-04    -0.1102E-06     0.3843E-08
18     0.000   0.9746E-03    -0.1054E-03     0.8875E-06    -0.6306E-08
（表３２）
レンズ群データ
群          始面          焦点距離
1              1             28.54
2              5             -5.28
3             12              8.62
4             17             40.67
【００７０】
各数値実施例の各条件式に対する値を表３３に示す。
（表３３）
実施例１     実施例２     実施例３     実施例４
条件式（１）     1.52         1.44         1.29         1.50
条件式（２）     1.51         1.58         1.63         1.51
条件式（３）     0.13         0.13         0.14         0.13
条件式（４）     0.84         0.52         0.80         0.70
条件式（５）     2.73         2.63         2.85         2.84
条件式（６）    11.41        13.50        11.40        15.19
実施例５     実施例６     実施例７     実施例８
条件式（１）     1.70         1.22         1.31         1.53
条件式（２）     1.43         1.66         1.59         1.49
条件式（３）     0.12         0.14         0.14         0.13
条件式（４）     0.82         0.09         0.08         0.77
条件式（５）     3.08         3.40         3.16         2.56
条件式（６）    11.40        29.94        29.38        11.40
【００７１】
表３３から明らかなように、数値実施例１〜８は、条件式（１）及び（２）を満足しており、レンズ全系がコンパクトでありながら、良好な光学性能を達成している。特に、数値実施例１〜５、８については、条件式（４）及び（６）を満足することで、ローコスト化を図りつつ諸収差を良好に補正したズームレンズ系を得ることが出来る。
【符号の説明】
【００７２】
Ｇ１  正の屈折力を持つ第１レンズ群
１１  負レンズ
１２  正レンズ
Ｇ２  負の屈折力を持つ第２レンズ群
２１  負レンズ
２２  負レンズ
２３  正レンズ
Ｇ３  正の屈折力を持つ第３レンズ群
３１  正レンズ
３２  負レンズ
３３  正レンズ
３１’  正レンズ
３２’  正レンズ
３３’  負レンズ
３４’  正レンズ
Ｇ４  正の屈折力を持つ第４レンズ群
４１  正単レンズ
Ｓ  絞り
ＯＰ  光学フィルタ
ＣＧ  カバーガラス
Ｉ  像面
【図１】
2014235388.tif 000003
【図２】
2014235388.tif 000004
【図３】
2014235388.tif 000005
【図４】
2014235388.tif 000006
【図５】
2014235388.tif 000007
【図６】
2014235388.tif 000008
【図７】
2014235388.tif 000009
【図８】
2014235388.tif 000010
【図９】
2014235388.tif 000011
【図１０】
2014235388.tif 000012
【図１１】
2014235388.tif 000013
【図１２】
2014235388.tif 000014
【図１３】
2014235388.tif 000015
【図１４】
2014235388.tif 000016
【図１５】
2014235388.tif 000017
【図１６】
2014235388.tif 000018
【図１７】
2014235388.tif 000019
【図１８】
2014235388.tif 000020
【図１９】
2014235388.tif 000021
【図２０】
2014235388.tif 000022
【図２１】
2014235388.tif 000023
【図２２】
2014235388.tif 000024
【図２３】
2014235388.tif 000025
【図２４】
2014235388.tif 000026
【図２５】
2014235388.tif 000027
【図２６】
2014235388.tif 000028
【図２７】
2014235388.tif 000029
【図２８】
2014235388.tif 000030
【図２９】
2014235388.tif 000031
【図３０】
2014235388.tif 000032
【図３１】
2014235388.tif 000033
【図３２】
2014235388.tif 000034
【図３３】
2014235388.tif 000035
【図３４】
2014235388.tif 000036
【図３５】
2014235388.tif 000037
【図３６】
2014235388.tif 000038
【図３７】
2014235388.tif 000039
【図３８】
2014235388.tif 000040
【図３９】
2014235388.tif 000041
【図４０】
2014235388.tif 000042